【手続補正書】
【提出日】平成16年7月9日(2004.7.9)
【手続補正１】
【補正対象書類名】明細書
【補正対象項目名】発明の名称
【補正方法】変更
【補正の内容】
【発明の名称】メモリカード、メモリカードの装着装置及び装着システム
【手続補正２】
【補正対象書類名】明細書
【補正対象項目名】特許請求の範囲
【補正方法】変更
【補正の内容】
【特許請求の範囲】
【請求項１】
メモリチップを内蔵する平面形状が略長方形のカード本体と、
上記カード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、
上記外部接続用端子が設けられる挿入方向前端の一方の頂点には、挿入方向に対して斜めに切り欠かれた切欠部が形成され、
上記切欠部は、上記外部接続用端子の後端よりも前方に形成されることを特徴とするメモリカード。
【請求項２】
上記カード本体の側面には、ロック用切欠き部が設けられ、上記斜めに切り欠かれた切欠部からロック用切欠部に亘って凹所が設けられることを特徴とする請求項１記載のメモリカード。
【請求項３】
メモリチップを内蔵する平面形状が略長方形のカード本体と、
上記カード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、
上記外部接続用端子が設けられる挿入方向前端の一方の頂点が、円弧状に面取りされることを特徴とするメモリカード。
【請求項４】
上記挿入方向前端の一方の頂点が、上記外部接続用の端子の後端付近まで円弧状に面取りされることを特徴とする請求項２記載のメモリカード。
【請求項５】
メモリチップを内蔵する平面形状が略長方形のカード本体と、
上記カード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、
上記カード本体の上記挿入方向前端が、上記突起部の前端部とともにカード本体の全幅にわたって厚み方向に切欠かれることを特徴とするメモリカード。
【請求項６】
メモリチップを内蔵する平面形状が略長方形のカード本体と、
上記カード本体の挿入方向に沿って並列して配置された複数の外部接続用端子とを備え、
上記外部接続用端子が設けられる挿入方向前端の一方の頂点は、面取りされており、該頂点には厚み方向に切欠かれた凹部が形成されることを特徴とするメモリカード。
【請求項７】
上記頂点は、円弧状に面取りされており、上記凹部は、挿入方向に平行な面と挿入方向に垂直な平面とによって構成されることを特徴とする請求項６記載のメモリカード。
【請求項８】
メモリチップを内蔵する平面形状が略長方形のカード本体と、
上記カード本体の挿入方向に沿って並列して配置された複数の外部接続用端子とを備え、
上記外部接続用端子が設けられる挿入方向後端の２つの頂点が面取りされることを特徴とするメモリカード。
【請求項９】
メモリチップを内蔵する平面形状が略長方形のカード本体と、上記カード本体の挿入方向前端からカード本体上面に亘って開口する凹状部と、上記カード本体の挿入方向に沿って上記凹状部内に並列して配置された複数の外部接続用端子とを備え、上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、上記外部接続用端子が設けられる挿入方向前端の一方の頂点には、挿入方向に対して斜めに切り欠かれた切欠部が形成され、上記切欠部が、上記外部接続用端子の後端よりも前方に形成されるメモリカードが装着される装着装置を備え、
上記装着装置には、上記切欠部と当接して上記メモリカードの誤挿入を防止する誤挿入防止部材が設けられていることを特徴とするメモリカードの装着システム。
【請求項１０】
上記カード本体の側面には、ロック用切欠き部が設けられ、上記斜めに切り欠かれた切欠部からロック用切欠部に亘って凹所が設けられることを特徴とする請求項９記載のメモリカードの装着システム。
【請求項１１】
上記挿入方向前端の一方の頂点が、上記外部接続用の端子の後端付近まで円弧状に面取りされることを特徴とする請求項１０記載のメモリカードの装着システム。
【請求項１２】
メモリチップを内蔵する平面形状が略長方形のカード本体と、上記カード本体の挿入方向前端からカード本体上面に亘って開口する凹状部と、上記カード本体の挿入方向に沿って上記凹状部内に並列して配置された複数の外部接続用端子とを備え、上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、上記カード本体の上記挿入方向前端が、上記突起部の前端部とともにカード本体の全幅にわたって厚み方向に切欠かれたメモリカードが装着される装着装置を備え、
上記装着装置には、上記厚み方向に切欠かれた部分に当接して上記メモリカードの誤挿入を防止する誤挿入防止部材が設けられていることを特徴とするメモリカードの装着システム。
【手続補正３】
【補正対象書類名】明細書
【補正対象項目名】０００１
【補正方法】変更
【補正の内容】
【０００１】
【発明の属する技術分野】
本発明は、装着装置に装着されて情報信号の書き込み又は読み出しが行われるメモリカード及びこのメモリカードが装着される装着装置を備えた装着システムに関する。
【手続補正４】
【補正対象書類名】明細書
【補正対象項目名】０００９
【補正方法】変更
【補正の内容】
【０００９】
そこで、本発明は、装着装置への容易な装着を実現できるメモリカード及び装着装置の小型化を実現し得る装着装置を備えた装着システムを提供することを目的とする。
【手続補正５】
【補正対象書類名】明細書
【補正対象項目名】００１０
【補正方法】変更
【補正の内容】
【００１０】
【課題を解決するための手段】
上述の目的を達成するために提案される本発明に係るメモリカードは、メモリチップを内蔵する平面形状が略長方形のカード本体と、カード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が上記凹状部の前端側開口部から当該前端側開口部と平行な壁面に亘って形成されているとともに、外部接続用端子が設けられる挿入方向前端の一方の頂点には、挿入方向に対して斜めに切り欠かれた切欠部が形成され、切欠部が、外部接続用端子の後端よりも前方に形成されている。
また、本発明に係るメモリカードは、メモリチップを内蔵する平面形状が略長方形のカード本体と、カード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子が設けられる挿入方向前端の一方の頂点が、円弧状に面取りされる。
さらに、本発明に係るメモリカードは、メモリチップを内蔵する平面形状が略長方形のカード本体と、カード本体の挿入方向前端からカード本体上面に亘って開口する凹状部と、カード本体の挿入方向に沿って上記凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、カード本体の上記挿入方向前端が、突起部の前端部とともにカード本体の全幅にわたって厚み方向に切欠かれる。
さらにまた、本発明に係るメモリカードは、メモリチップを内蔵する平面形状が略長方形のカード本体と、カード本体の挿入方向に沿って並列して配置された複数の外部接続用端子とを備え、外部接続用端子が設けられる挿入方向前端の一方の頂点は、面取りされており、該頂点には厚み方向に切欠かれた凹部が形成されている。
さらにまた、本発明に係るメモリカードは、メモリチップを内蔵する平面形状が略長方形のカード本体と、カード本体の挿入方向に沿って並列して配置された複数の外部接続用端子とを備え、外部接続用端子が設けられる挿入方向後端の２つの頂点が面取りされている。
【手続補正６】
【補正対象書類名】明細書
【補正対象項目名】００１１
【補正方法】変更
【補正の内容】
【００１１】
また、本発明は、メモリカードの装着システムであり、メモリチップを内蔵する平面形状が略長方形のカード本体と、カード本体の挿入方向前端からカード本体上面に亘って開口する凹状部と、カード本体の挿入方向に沿って上記凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子が設けられる挿入方向前端の一方の頂点には、挿入方向に対して斜めに切り欠かれた切欠部が形成され、上記切欠部が、上記外部接続用端子の後端よりも前方に形成されるメモリカードが装着される装着装置を備え、装着装置には、切欠部と当接してメモリカードの誤挿入を防止する誤挿入防止部材が設けられている。
本発明に係る他のメモリカードの装着システムは、メモリチップを内蔵する平面形状が略長方形のカード本体と、カード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、カード本体の上記挿入方向前端が、突起部の前端部とともにカード本体の全幅にわたって厚み方向に切欠かれたメモリカードが装着される装着装置を備え、装着装置には、メモリカード本体の厚み方向に切欠かれた部分に当接してメモリカードの誤挿入を防止する誤挿入防止部材が設けられている。
【手続補正７】
【補正対象書類名】明細書
【補正対象項目名】００７２
【補正方法】変更
【補正の内容】
【００７２】
【発明の効果】
本発明によれば、誤挿入を防止して確実な装着操作を行うことができる。